(57)【特許請求の範囲】
【請求項１】
通信のリンクを形成するための制御チャンネルを検出する制御チャンネル検出手段と、その制御チャンネル検出手段により検出される複数の制御チャンネルのいずれかに同調して通信リンクを形成する通信リンク形成手段と、その通信リンク形成手段により形成された通信リンクで通話などの通信を実行する通話チャンネルを検出する通話チャンネル検出手段とを備え相手側装置と無線通信を実行する第１無線通信装置を備えた無線通信装置において、
その第１無線通信装置は、前記制御チャンネル検出手段と前記通話チャンネル検出手段とを交互に動作させると共に、制御チャンネルの検出では、１の検出タイミングで１の制御チャンネルの検出を実行させる交互検出手段と、
その交互検出手段により動作された制御チャンネル検出手段により１の制御チャンネルが検出されると、通話チャンネルの検出に優先して、残りの未検出の制御チャンネルの検出を実行する制御チャンネル優先検出手段と、
前記制御チャンネル検出手段により制御チャンネルが検出されるとその制御チャンネルで伝送されたデータを受信する第１受信手段と、
その第１受信手段により受信されたデータが正当な相手側装置からのデータでない場合に、前記制御チャンネル優先検出手段を実行させる優先実行手段とを備えるとともに、
前記第１受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されていることを特徴とする無線通信装置。
【請求項２】
通信のリンクを形成するための複数の制御チャンネルを検出する第２制御チャンネル検出手段と、その第２制御チャンネル検出手段により検出される複数の制御チャンネルのいずれかに同調して通信リンクを形成する第２通信リンク形成手段と、前記第２制御チャンネル検出手段に制御チャンネルの検出を間欠的に実行させる間欠実行手段とを備え相手側装置と無線通信を実行する第２無線通信装置を備えた無線通信装置において、
その第２無線通信装置は、前記第２制御チャンネル検出手段により制御チャンネルが検出されると、前記間欠実行手段により実行される間欠検出での非動作時間をチャンネル検出前より減じて、残りの未検出の制御チャンネルの検出を実行する動作変更手段と、
前記第２制御チャンネル検出手段により制御チャンネルが検出されるとその制御チャンネルで伝送されたデータを受信する第２受信手段と、
その第２受信手段により受信されたデータが正当な相手側装置からのデータであるか否かを認識する認識手段と、
その認識手段により受信データが正当な相手側装置からのデータでないと認識されると前記動作変更手段を実行させる動作実行手段とを備えていることを特徴とする無線通信装置。
【請求項３】
前記第２無線通信装置は、前記第２受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されていることを特徴とする請求項２記載の無線通信装置。
【請求項４】
前記第２無線通信装置は、前記認識手段により受信したデータが正当な相手側装置からのデータであると認識されると、データの受信時間を通常の受信時間から延長された受信時間へと変更する受信時間変更手段を備えていることを特徴とする請求項２または３に記載の無線通信装置。
【請求項５】
前記第１無線通信装置に対し、相手側装置として前記第２無線通信装置の複数を接続可能に構成されており、
前記第１無線通信装置は、制御チャンネルで接続される全ての第２無線通信装置に巡回的に前記第１無線通信装置を識別する第１識別情報と送信先の前記第２無線通信装置を識別する第２識別情報とを送信する情報送信手段を備えており、
前記第２無線通信装置は、その情報送信手段により送信された第１識別情報が前記認識手段により正当な相手側装置からの情報であると認識されると、前記受信時間変更手段によりデータの受信時間を通常の受信時間から延長された受信時間へと変更するものであり、
その延長された受信時間は、前記第１無線通信装置から巡回的に送信される自機宛の第２識別情報を少なくとも２回受信し得る時間であることを特徴とする請求項４記載の無線通信装置。
【請求項６】
前記延長された受信時間は、接続し得る最大数の第２無線通信装置を第１無線通信装置に接続した場合に、全ての第２無線通信装置が自機宛の第２識別情報を少なくとも２回受信し得る時間であることを特徴とする請求項５記載の無線通信装置。
【発明の詳細な説明】
【０００１】
【発明の属する技術分野】
本発明は、複数の制御チャンネルのいずれかに同調して無線通信を確立する無線通信装置に関し、特に、確実に無線通信を確立することのできる無線通信装置に関するものである。
【０００２】
【従来の技術】
現在、親子電話（ファクシミリ装置を含む）など、親機と子機との間で通信を行う電話機が多数実用化されている。これらの親子電話は、外線に接続された親機と、その親機と内線で接続される子機とを備えており、子機は、親機を介して外線と通話できるように構成される。親機と子機とは内線によりデータ通信を実行するが、近年、この親機と子機との間のデータ通信は、無線で実行されることが多い。この親機と子機との間で実行される無線通信では、まず、制御チャンネルにより通信のリンクを形成（無線リンクを確立）する。無線リンクが確立されると、親機と子機とは通話チャンネルに遷移し、この通話チャンネルにより通話などのデータ通信を無線で実行する。
【０００３】
ここで、制御チャンネルで無線リンクが確立されなければ、親機と子機とは無線通信を実行することはできない。このため、親機と子機との間で使用する制御チャンネルを１チャンネルとし、互いに唯一のチャンネルに同調して無線リンクを確立することにより、無線リンクの確立を容易化している。
【０００４】
【発明が解決しようとする課題】
しかしながら、親子電話の近隣に、使用する制御チャンネルと同じチャンネルの電界（ノイズの発生源）が存在すれば、その制御チャンネルの使用が困難となる。即ち、唯一の制御チャンネルでは、その制御チャンネルが使用不能となると、親機と子機とは無線リンクを確立することができなくなってしまうという問題点があった。
【０００５】
一方、複数の制御チャンネルを使用して無線リンクが確立できるように親機と子機とを構成すれば、１の制御チャンネルが使用不能となっても、他の制御チャンネルを使用して親機と子機との間で無線リンクを確立できる。ここで、複数の制御チャンネルを使用する場合には、無線リンクの確立に先だって、まず、相手側装置がいずれの制御チャンネルで通信を試みているか（いずれの制御チャンネルで電波を出力しているか）を検出する必要がある。複数のチャンネルを検出する際には、一般に、各チャンネルをむらなく、順次検出していくという手法がとられる。このため、１の制御チャンネルの検出中には、他の制御チャンネルの電波は検出できない。言い換えれば、検出中の制御チャネル以外の制御チャンネルで相手側装置が電波を出力していると、その電波は検出されないのである。故に、複数の制御チャンネルを使用する場合には、無線リンクの確立が不確実となりがちであるという問題点があった。
【０００６】
また、制御チャンネルでの電波出力では、決められた時間しか電波出力できない、つまり、電波出力がパルス（間欠）動作に限られるといった制約を受けることが多い。かかる場合には、検出のタイミングがずれると、相手側装置からの出力電波を捕捉できず、その結果、実際は正当な制御チャンネルで電波出力がなされているにもかかわらず、その制御チャンネルを検出できないという問題点があった。
【０００７】
本発明は上述した問題点を解決するためになされたものであり、確実に無線通信を確立することのできる無線通信装置に関するものである。
【０００８】
【課題を解決するための手段】
この目的を達成するために請求項１記載の無線通信装置は、通信のリンクを形成するための制御チャンネルを検出する制御チャンネル検出手段と、その制御チャンネル検出手段により検出される複数の制御チャンネルのいずれかに同調して通信リンクを形成する通信リンク形成手段と、その通信リンク形成手段により形成された通信リンクで通話などの通信を実行する通話チャンネルを検出する通話チャンネル検出手段とを備え相手側装置と無線通信を実行する第１無線通信装置を備えており、その第１無線通信装置は、前記制御チャンネル検出手段と前記通話チャンネル検出手段とを交互に動作させると共に、制御チャンネルの検出では、１の検出タイミングで１の制御チャンネルの検出を実行させる交互検出手段と、
その交互検出手段により動作された制御チャンネル検出手段により１の制御チャンネルが検出されると、通話チャンネルの検出に優先して、残りの未検出の制御チャンネルの検出を実行する制御チャンネル優先検出手段と、前記制御チャンネル検出手段により制御チャンネルが検出されるとその制御チャンネルで伝送されたデータを受信する第１受信手段と、その第１受信手段により受信されたデータが正当な相手側装置からのデータでない場合に、前記制御チャンネル優先検出手段を実行させる優先実行手段とを備えるとともに、前記第１受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されている。
【０００９】
この請求項１記載の無線通信装置によれば、第１無線通信装置において、交互検出手段により、制御チャンネル検出手段と通話チャンネル検出手段とは交互に動作され、制御チャンネルと通話チャンネルとの検出がそれぞれ実行される。ここで、交互検出手段により動作させられた制御チャンネル検出手段によって、１の制御チャンネルが検出されると、その制御チャンネルで伝送されたデータは、第１受信手段により受信される。第１受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されている。そして、その第１受信手段により受信されたデータが正当な相手側装置からのデータでないと、優先実行手段により、制御チャンネル優先検出手段が実行され、該制御チャンネル優先検出手段により、通話チャンネルの検出に優先して、残りの未検出の制御チャンネルの検出が実行される。そして、通信リンク形成手段により、検出された制御チャンネルに同調して相手側装置との間で通信リンクが形成され、通話チャンネル検出手段により空きを判定されたチャンネルで通話が行われる。
【００１０】
【００１１】
【００１２】
【００１３】
請求項２記載の無線通信装置は、通信のリンクを形成するための複数の制御チャンネルを検出する第２制御チャンネル検出手段と、その第２制御チャンネル検出手段により検出される複数の制御チャンネルのいずれかに同調して通信リンクを形成する第２通信リンク形成手段と、前記第２制御チャンネル検出手段に制御チャンネルの検出を間欠的に実行させる間欠実行手段とを備え相手側装置と無線通信を実行する第２無線通信装置を備えており、その第２無線通信装置は、前記第２制御チャンネル検出手段により制御チャンネルが検出されると、前記間欠実行手段により実行される間欠検出での非動作時間をチャンネル検出前より減じて、残りの未検出の制御チャンネルの検出を実行する動作変更手段と、前記第２制御チャンネル検出手段により制御チャンネルが検出されるとその制御チャンネルで伝送されたデータを受信する第２受信手段と、その第２受信手段により受信されたデータが正当な相手側装置からのデータであるか否かを認識する認識手段と、その認識手段により受信データが正当な相手側装置からのデータでないと認識されると前記動作変更手段を実行させる動作実行手段とを備えている。
【００１４】
この請求項２記載の無線通信装置によれば、第２無線通信装置は、第２制御チャンネル検出手段により制御チャンネルが検出されると、その制御チャンネルで伝送されたデータは、第２受信手段により受信される。その第２受信手段により受信されたデータが、認識手段により正当な相手側装置からのデータでないと認識されると、動作変更手段が動作実行手段により実行される。この動作変更手段により、間欠実行手段によって実行される間欠検出での非動作時間がチャンネル検出前より減じられて、残りの未検出の制御チャンネルの検出が実行される。そして、第２通信リンク形成手段により、検出された制御チャンネルに同調して相手側装置との間で通信リンクが形成される。
【００１５】
【００１６】
【００１７】
請求項３記載の無線通信装置は、請求項２記載の無線通信装置において、前記第２無線通信装置は、前記第２受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されている。
【００１８】
請求項４記載の無線通信装置は、請求項２または３に記載の無線通信装置において、前記第２無線通信装置は、前記認識手段により受信したデータが正当な相手側装置からのデータであると認識されると、データの受信時間を通常の受信時間から延長された受信時間へと変更する受信時間変更手段を備えている。
【００１９】
請求項５記載の無線通信装置は、請求項４記載の無線通信装置において、前記第１無線通信装置に対し、相手側装置として前記第２無線通信装置の複数を接続可能に構成されており、前記第１無線通信装置は、制御チャンネルで接続される全ての第２無線通信装置に巡回的に前記第１無線通信装置を識別する第１識別情報と送信先の前記第２無線通信装置を識別する第２識別情報とを送信する情報送信手段を備えており、前記第２無線通信装置は、その情報送信手段により送信された第１識別情報が前記認識手段により正当な相手側装置からの情報であると認識されると、前記受信時間変更手段によりデータの受信時間を通常の受信時間から延長された受信時間へと変更するものであり、その延長された受信時間は、前記第１無線通信装置から巡回的に送信される自機宛の第２識別情報を少なくとも２回受信し得る時間とされている。
【００２０】
この請求項５記載の無線通信装置によれば、請求項４記載の無線通信装置と同様に作用する上、相手側装置として第２無線通信装置の複数を接続可能に構成された第１無線通信装置においては、情報送信手段により、制御チャンネルで接続される全ての第２無線通信装置に巡回的に第１無線通信装置を識別する第１識別情報と送信先の第２無線通信装置を識別する第２識別情報とが送信される。一方、第２無線通信装置においては、第１無線通信装置の情報送信手段により送信された第１識別情報が認識手段により正当な相手側装置からの情報であると認識されると、受信時間変更手段によりデータの受信時間が、通常の受信時間から、延長された受信時間へと変更される。その延長された受信時間は、第１無線通信装置から巡回的に送信される自機宛の第２識別情報を少なくとも２回受信し得る時間とされている。
【００２１】
請求項６記載の無線通信装置は、請求項５記載の無線通信装置において、前記延長された受信時間は、接続し得る最大数の第２無線通信装置を第１無線通信装置に接続した場合に、全ての第２無線通信装置が自機宛の第２識別情報を少なくとも２回受信し得る時間とされている。
【００２２】
【発明の実施の形態】
以下、本発明の好ましい実施例について、添付図面を参照して説明する。図１は、コードレス電話装置（子機１ｂ〜１ｄ）と親機１ａとが無線通信により接続されている親子電話装置１の外観斜視図である。本実施例の親子電話装置１はファクシミリ装置であり、子機１ｂ〜１ｄは無線回線５２を介して電話回線２６に接続された親機１ａと通信を実行するようになっている。
【００２３】
親機１ａは、電話回線２６を介して接続される相手側装置との間で、電話動作、ファクシミリ動作や電子メールの送受信を行う通信装置である。この親機１ａの本体２の側部には、受話器３が取り付けられている。受話器３は、非通話時には本体２に設けられた図示しないフック上に置かれ、通話時にはフックから取り上げられて使用される。前者をオンフック状態、後者をオフフック状態と称している。
【００２４】
本体２の上面前部には、数値や文字などを入力する入力ボタンやコマンドを入力するコマンド入力ボタンなどの複数のボタンを備えた操作パネル４が設けられている。この操作パネル４の左上端部にはコマンド入力ボタンの一つである設定ボタン４ａが設けられている。設定ボタン４ａは、各種の設定やコマンドを入力する入力画面を液晶表示器（以下単に「ＬＣＤ」と略す）５に表示させるためのボタンであり、この設定ボタン４ａが操作者により押下されると入力画面がＬＣＤ５に表示される。
【００２５】
操作パネル４の中央部には、上記したＬＣＤ５が設けられている。このＬＣＤ５は、親機１ａにより実行される処理や、親機１ａと電話回線２６を介して接続されている相手側装置との通信状態を表示する表示器であり、タッチパネルで構成されている。親機１ａが、操作パネル４上に設けられた設定ボタン４ａやテンキー４ｂ等のボタンにより操作されると、その操作状態や操作手順などはこのＬＣＤ５へ表示される。
【００２６】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００２７】
また、本体２には、子機１ｂ〜１ｄと各種信号やデータの送受信を行うための接続手段としてアンテナ１８（図２参照）が設けられている。親機１ａは、このアンテナ１８を介して、子機１ｂ〜１ｄと無線回線５２により接続される。親機１ａと子機１ｂ〜１ｄとの間で送受信されるデータの媒体としては、所定のチャンネル（通話チャンネルまたは制御チャンネル）の電波が用いられる。
【００２８】
上記のように構成された親機１ａは、１チャンネル〜８９チャンネルのチャンネルのいずれかで通信を実行するようになっている。かかるチャンネルの内、４６チャンネルと８９チャンネルとの２のチャンネルは通信リンクを確立するための制御チャンネルとして使用され、残りのチャンネルは通話チャンネルとして使用される。
【００２９】
また、親機１ａは、子機１ｂ〜１ｄと通信できるように、定常的に通話チャンネルの検出を実行して、通話チャンネルの空きを確認している（通話チャンネルのスキャン）。更に、子機１ｂ〜１ｄからの通信要求（コマンド（データ）送信）を検出するため、通信要求に関するコマンドが送信される制御チャンネルの出力を定常的（定期的）に検出している（制御チャンネルのスニフ）。
【００３０】
この制御チャンネルにより親機１ａがデータを送信できる時間は４秒以内と決められており、この４秒の間に、親機１ａに接続される各子機１ｂ〜１ｄにデータを送信する。尚、複数の子機にデータを送信する場合には、そのデータは送信先の各子機宛に巡回的に送信されるようになっている。
【００３１】
子機１ｂ〜１ｄは、親機１ａとの間でデータの送受信を行うためのアンテナ３３（図２参照）を備えた通信装置である。この子機１ｂ〜１ｄは、親機１ａおよび親機１ａを介して電話回線２６に接続できるように構成されている。この子機１ｂ〜１ｄからの外線発呼は、コマンドを親機１ａに送信し、そのコマンドに基づいた動作を親機１ａに実行させることにより実行される。
【００３２】
子機１ｂ〜１ｄは、その筐体前面に操作パネル３７とＬＣＤ３８とを備えている。操作パネル３７の中央部には、数値や文字などを入力する複数のテンキー３７ａが設けられている。テンキー３７ａの上方左側には、スタートキー４４が備えられている。スタートキー４４は、電話回線２６の閉結および開放を実行するためのボタンである。該キー４４が回線開放状態で押下されると電話回線２６の閉結が実行される。
【００３３】
子機１ｂ〜１ｄの筐体の下方には、音声信号（使用者の発話）を電気信号に変換するマイク３５が設けられ、また子機１ｂ〜１ｄの筐体の上方には電気信号を音声信号に変換するスピーカ３６が設けられている。これにより子機１ｂ〜１ｄは、親機１ａまたは、電話回線２６を介して発呼側装置（相手側装置）と通話を行うことができる。
【００３４】
この子機１ｂ〜１ｄは、親機１ａと同様に、１チャンネル〜８９チャンネルのチャンネルのいずれかで通信を実行するようになっており、４６チャンネルと８９チャンネルとを制御チャンネルとして使用し、残りのチャンネルは通話チャンネルとして使用するようになっている。そして、親機１ａからの制御チャンネルの電波信号を定常的に調べることにより（制御チャンネルのスニフ）、親機１ａからの通信要求（コマンド（データ）送信）の有無を確認している。親機１ａからは、装置全体のＩＤコードと送信先子機の識別番号が付加されたデータが送信される。子機１ｂ〜１ｄは、受信したデータに装置全体のＩＤコードと自機の識別番号が付加されていた場合にのみ、親機１ａに対して応答する。
【００３５】
上記のように構成された子機１ｂ〜１ｄは、充電台５０に着脱可能に設置されている。子機１ｂ〜１ｄは、充電台に設置された状態で、コネクタ４９（図２参照）を介して充電台５０に接続される。また、子機１ｂ〜１ｄは、コネクタ４９により充電台５０に接続されるとオンフック状態となる。充電台５０から取り上げられる（コネクタ４９が充電台から外れる）ことによりオフフック状態となる。つまり、子機１ｂ〜１ｄが充電台５０から取り上げられると、回線閉結状態を形成するべく、通信要求が制御チャンネルにより親機１ａへ送信されるのである。
【００３６】
充電台５０は、接続（設置）された子機１ｂ〜１ｄを所定の電圧で充電するものである。この充電台５０は、図示しない外部電源に接続されており、外部電源から供給された電源を子機１ｂ〜１ｄに供給している。尚、子機１ｂ〜１ｄは、充電台５０から脱着された状態にある場合には、制御チャンネルの検出処理の合間にスタンバイ状態（必要最小限の処理のみ実行される状態）を挿嵌し、消費エネルギーの低減を図っている。このため、子機１ｂ〜１ｄが充電台５０から脱着されている場合には、子機１ｂ〜１ｄでの制御チャンネルの検出は、間欠的に実行されることとなる。
【００３７】
尚、本実施例中でスニフは、親機１ａおよび子機１ｂ〜１ｄが、相手局から信号がきていないか、制御チャンネルの電波信号を確認する処理である。また、スキャンは親機１ａが通話チャンネルの空きを確認する処理である。リプライは、親機１ａおよび子機１ｂ〜１ｄが、相手局からの制御チャンネルの電波信号を確認した後、制御チャンネルの電波受信を継続して、相手局からのコマンドを待つ処理である。
【００３８】
図２は、親機（ファクシミリ装置）１ａおよび子機１ｂ〜１ｄの電気的構成を示したブロック図である。親機１ａには、ＣＰＵ１１、ＲＯＭ１２、ＲＡＭ１３、ＥＥＰＲＯＭ１４、リアルタイムクロック（以下単に「ＲＴＣ」と略す）１５、音声ＬＳＩ１７、コードレスユニット５１、ネットワーク・コントロール・ユニット（以下単に「ＮＣＵ」と称す）１９、モデム２０、バッファ２１、スキャナ２２、符号化部２３、復号化部２４、プリンタ２５、操作パネル４、ＬＣＤ５およびアンプ２７が設けられ、これらはバスライン２９を介して互いに接続されている。
【００３９】
ＮＣＵ１９は回線制御を行うためのものであり、親機１ａはこのＮＣＵ１９を介して電話回線２６に接続されている。ＮＣＵ１９は、交換機から送信される呼出信号や各種信号を受信するとともに、親機１ａの操作パネル４上又は子機１ｂ〜１ｄの操作パネル３７上の入力ボタンの操作に応じた発信時のダイヤル信号を交換機へ送信したり、電話回線２６の閉結時において、アナログ音声信号の送受信などのデータ通信を行うものである。また、ＮＣＵ１９は受話器３と接続されている。
【００４０】
ＣＰＵ１１は、ＮＣＵ１９を介して送受信される各種信号に従って、バスライン２９により接続された各部を制御し、ファクシミリ動作や電話動作などのデータ通信を実行するものである。ＲＯＭ１２は、この親機１ａで実行される制御プログラム等を格納した書換不能なメモリであり、制御チャンネル通信処理１２ａと初期チャンネルメモリ１２ｂとを備えている。
【００４１】
制御チャンネル通信処理１２ａは、制御プログラムの一部であり、主として制御チャンネルの検出を実行する処理である。この制御チャンネル通信処理１２ａは、親機１ａと子機１ｂ〜１ｄとの間で使用される２の制御チャンネルについて、電波が出力されているか否かを確認する処理である。この制御チャンネル通信処理１２ａは、通常の状態では、制御チャンネルの検出と通話チャンネルの検出とを交互に実行するが、１の制御チャンネルが検出され、更に検出されたその制御チャンネルがノイズであると、未検出の他方の制御チャンネルの検出を引き続いて実行するものである。その詳細については図５〜図７のフローチャートにおいて後述する。
【００４２】
初期チャンネルメモリ１２ｂは、電源オン時に設定される制御チャンネルを記憶するメモリである。本実施例の親子電話装置１は、２の制御チャンネルにより通信を実行し得るように構成されているが、電源断の状態から電源がオンされると、この初期チャンネルメモリ１２ｂに予め記憶されている制御チャンネルで子機１ｂ〜１ｄとの通信が実行されるように設定される。子機１ｂ〜１ｄにおいても、この初期チャンネルメモリ１２ｂに記憶されるチャンネルと同じチャンネルが不揮発に記憶されており、電源断の状態から電源がオンされると、親機１ａと同様にそのチャンネルで通信が実行されるように設定される。これによれば、例えば子機の増設時など、互いに識別情報を認識できない親機１ａと子機との間で、設定されている唯一の制御チャンネルにより迅速に通信を開始することができる。よって、その後の親子間での通信に必要な情報の設定（セットアップ）を効率的に実行することができる。
【００４３】
ＲＡＭ１３は、各種のデータを一時的に記憶するためのメモリであり、Ａチャンネルフラグ１３ａとＡチャンネル待機フラグ１３ｂとＢチャンネル待機フラグ１３ｃとを備えている。Ａチャンネルフラグ１３ａは、予め定められた一方の制御チャンネル（Ａチャンネル）に対応つけて設けられたフラグである。親機１ａでは、制御チャンネル通信処理１２ａにおいて、４６チャンネル（Ａチャンネル）と８９チャンネル（Ｂチャンネル）の２の制御チャンネルを交互に検出しているが、次に検出される制御チャンネルがどちらのチャンネルであるかは、このＡチャンネルフラグ１３ａにより示されている。Ａチャンネルフラグ１３ａがオンであれば、Ａチャンネル（４６チャンネル）の検出が実行される。一方、Ａチャンネルフラグ１３ａがオフであれば、Ｂチャンネル（８９チャンネル）の検出が実行される。このＡチャンネルフラグ１３ａは、Ｂチャンネルの検出動作が完了したタイミングでオンされ、Ａチャンネルの検出動作が完了したタイミングでオフされる。
【００４４】
Ａチャンネル待機フラグ１３ｂは、Ａチャンネル（４６チャンネル）と同じチャンネルのノイズを検出した際にオンされるフラグである。親機１ａでは、制御チャンネルが検出されると、その制御チャンネルで伝送されるデータの受信が実行される。受信したデータが子機１ｂ〜１ｄとは関係のないデータであった場合には、検出したＡチャンネルは、子機１ｂ〜１ｄから出力された電波ではなく、ノイズである。このノイズの検出時には、親機１ａは、次に通話チャンネルの検出を行わず、もう一方の制御チャンネルであるＢチャンネル（８９チャンネル）の検出を実行する。つまり、Ａチャンネル待機フラグ１３ｂは、Ａチャンネルの制御チャンネルの検出後に、引き続いてＢチャンネルの検出を行うか否かを識別するためのフラグとなっている。
【００４５】
Ｂチャンネル待機フラグ１３ｃは、Ｂチャンネル（８９チャンネル）と同じチャンネルのノイズを検出した際にオンされるフラグである。Ａチャンネル待機フラグ１３ｂと同様に、Ｂチャンネルの制御チャンネルの検出後に、引き続いてＡチャンネルの検出を行うか否かを識別するためのフラグである。かかるフラグ１３ｂ，１３ｃは、未検出の他方の制御チャンネルの検出動作の終了後にオフされる。
【００４６】
また、このＲＡＭ１３の所定のエリアには、復号化されたファクシミリデータが一時的に記憶される。記憶されたファクシミリデータは、その後、プリンタ２５に出力される。出力されたファクシミリデータは、プリンタ２５によって記録紙に印刷された後に、ＲＡＭ１３から消去される。ファクシミリデータが画像データである場合、一般に、そのデータ量は大容量であるが、ファクシミリデータが印刷されることを条件にそのファクシミリデータを消去しているので、ＲＡＭ１３を有効に使用することができる。
【００４７】
ＥＥＰＲＯＭ１４は、書換可能な不揮発性のメモリであり、このＥＥＰＲＯＭ１４へ記憶されたデータは電源オフ後も保持される。このＥＥＰＲＯＭ１４は、ＩＤメモリ１４ａと子機番号メモリ１４ｂとを備えている。ＩＤメモリ１４ａは、親子電話装置１を識別するＩＤコードが記憶されるメモリである。親機１ａから各子機１ｂ〜１ｄへと送信されるデータには、親機１ａからのデータ（コマンド）であることを識別できるように、このＩＤメモリ１４ａに記憶されるＩＤコードが付加される。つまり、親子電話装置１を識別するＩＤコードは、親機１ａから送信されるデータであることを示す識別情報（親機１ａの識別情報）として使用される。また、新たに子機が増設された場合には、上記した初期チャンネルメモリ１２ｂに記憶される制御チャンネルで通信が確立（無線リンクが確立）された後、このＩＤメモリ１４ａに記憶されるＩＤコードは、増設された子機へと送信される。これにより、増設された子機は、自機の属する親子電話装置１を認識するようになっている。
【００４８】
子機番号メモリ１４ｂは、各子機１ｂ〜１ｄをそれぞれ識別する固有の識別番号を記憶しておくためのメモリである。親機１ａから子機１ｂ〜１ｄへ制御チャンネルで送信されるデータには、上記のＩＤコードと共に送信先子機の識別番号が付加されて送信される。親機１ａは、複数の子機にデータを送信する場合には、１の送信データに１の子機の識別番号を付加すると共に、該識別番号を巡回的に付加して出力する。これにより、各子機１ｂ〜１ｄに巡回的にデータを送信することとなる。各送信データの間隔は１６０ｍｓで設定されている。
【００４９】
尚、子機１ｂ〜１ｄから親機１ａへ送信されたデータには、各子機の有する識別番号が付加されている。親機１ａは、この子機番号メモリ１４ｂに記憶される識別番号と、受信したデータに付加された識別番号を照らし合わせることにより、いずれの子機から送信されたデータであるかを識別する。
【００５０】
ＲＴＣ１５は、年月日や曜日、時間、分、秒の計時を行うＩＣである。受信したファクシミリデータなどには、このＲＴＣ１５の値に基づいて、受信した日付と時刻とのデータが付加され、受信時間による管理を行うことができるようになっている。このＲＴＣ１５には、親機１ａの電源をオフにした場合のバックアップ用の電圧を供給するバッテリー回路１５ａが接続さている。ＲＴＣ１５は、このバッテリー回路１５ａにより、親機１ａの電源をオフした後でも計時を継続することができる。
【００５１】
音声ＬＳＩ１７は、ＮＣＵ１９によって受信されたアナログ音声信号をデジタル音声信号に変換するとともに、この親機１ａの内部で生成されたデジタル音声信号をアナログ音声信号に変換してＮＣＵ１９に出力するものである。
【００５２】
アンテナ１８は、親機１ａと子機１ｂ〜１ｄとの間でデータの送受信を行うためのものであり、子機１ｂ〜１ｄへと送信されるデータや各種信号は、アンテナ１８を介して送信され、一方、子機１ｂ〜１ｄから親機１ａへ送信されるデータや各種信号は、アンテナ１８を介して受信される。受信されたデータは、コードレスユニット５１を経由してＣＰＵ１１に入力される。また、親機１ａから子機１ｂ〜１ｄへ送信されるデータは、コードレスユニット５１を介し、アンテナ１８経由で子機１ｂ〜１ｄへ出力される。
【００５３】
コードレスユニット５１は、音声信号やデータ信号を電波として送信するためのユニットである。モデム２０は、画像データや電子メールデータの変調および復調を実行するものであると共に、伝送制御用の各種手順信号を送受信するものである。バッファ２１は、他のファクシミリ装置との間で送受信される符号化されたファクシミリデータやスキャナ２２により読み取られた原稿の画像データを一時的に格納するものである。
【００５４】
スキャナ２２は原稿挿入口６に挿入された原稿の画像を読み取るためのものであり、符号化部２３はスキャナ２２により読み取られた原稿画像の符号化を行うものである。復号化部２４は、バッファ２１に記憶された受信したファクシミリデータを読み出して、これを復号化するものであり、復号化されたデータは、ＲＡＭ１３に一旦記憶された後、プリンタ２５により記録用紙に順次印刷される。
【００５５】
操作パネル４は、上記したように使用者がこの親機１ａの設定等の各種の操作を行うためのものである。アンプ２７は、そのアンプ２７に接続されたスピーカ２８を鳴動して、呼出音や音声メッセージなどを出力するためのものである。
【００５６】
次に、子機１ｂ〜１ｄにおける電気的構成について子機１ｂを用いて説明する。尚、子機１ｃ，１ｄは、子機１ｂと同様に構成されるのでその説明は省略する。子機１ｂは、ＣＰＵ３０、ＲＯＭ３１、ＲＡＭ３２、ＥＥＰＲＯＭ３９、コードレスユニット３４、操作パネル３７、ＬＣＤ３８が設けられ、これらは互いに接続されている。
【００５７】
ＣＰＵ３０は、使用者により入力された信号や、コードレスユニット３４を介して親機１ａから送信される各種信号などに従って各部を制御し、電話動作など（親機１ａとのデータ通信を含む）を実行するものである。ＲＯＭ３１は、この子機１ｂで実行される制御プログラム等を格納した書換不能なメモリである。このＲＯＭ３１は、子機制御チャンネル通信処理３１ａと初期チャンネルメモリ３１ｂ、第１リプライ値メモリ３１ｃ、第２リプライ値メモリ３１ｄとを備えている。
【００５８】
子機制御チャンネル通信処理３１ａは、制御プログラムの一部であり、主として子機１ｂで制御チャンネルの検出を実行するプログラムである。この子機制御チャンネル通信処理３１ａは、親機１ａと子機１ｂとの間で使用される２の制御チャンネル（Ａチャンネル（４６チャンネル）、Ｂチャンネル（８９チャンネル））について、電波が出力されているか否かを確認する処理である。この子機制御チャンネル通信処理３１ａは、通常の状態では、２の制御チャンネルの検出を交互に連続して実行するが、子機１ｂが充電台５０から脱着されている場合には、各制御チャンネルの検出処理の合間にスタンバイ状態を挿嵌する。つまり、脱着状態の子機１ｂでは、制御チャンネルの検出が間欠的に実行されるように構成されている。その詳細については、図８〜図１０のフローチャートにより後述する。
【００５９】
初期チャンネルメモリ３１ｂは、電源オン時に設定される制御チャンネルを記憶するメモリである。初期チャンネルメモリ３１ｂに記憶されるチャンネルと同じチャンネルが親機１ａの初期チャンネルメモリ１２ｂにも予め記憶されている。このため、電源断の状態から電源をオンすると、親機１ａと同様に、初期チャンネルメモリ３１ｂに記憶されているチャンネルで通信が実行されるように設定される。
【００６０】
第１リプライ値メモリ３１ｃと第２リプライ値メモリ３１ｄとは、制御チャンネルで送信されたデータを受信するための予め定められた受信時間を記憶するメモリである。第１リプライ値メモリ３１ｃには、通常のデータ受信時間として７００ｍｓ（ミリセカンド）が記憶されている。第２リプライ値メモリ３１ｄには、延長された受信時間（延長されたデータ受信時間）として１４００ｍｓが記憶されている。
【００６１】
上記したように、親機１ａから制御チャンネルで送信されるデータには、ＩＤコードと送信先の子機の識別番号が付加されており、また、１の送信データには１の子機の認識番号が付加されている。また、かかる識別番号は、送信データに巡回的に付加されて１６０ｍｓ毎に親機１ａから出力される。よって、各子機１ｂ〜１ｄにおけるデータ受信も巡回的になされることとなる。
【００６２】
一方、親機１ａから制御チャンネルで送信される送信データには、ＩＤコードが付加されている。このため、子機１ｂは、受信したデータにＩＤコードが付加されていれば、検出した制御チャンネルが親機１ａから送信されているものであると判断できる。つまり、自機宛のデータが送信されると予測することができるのである。
【００６３】
通常、子機１ｂにおいて、制御チャンネルが検出された場合のデータ受信時間は、第１リプライ値メモリ３１ｃに記憶される値の７００ｍｓとなっている。しかし、検出された制御チャンネルで送信されたデータに、親子電話装置１のＩＤコードが含まれていると、自機宛にデータが送信されると予測できるので、データの受信時間が、第２リプライ値メモリ３１ｄに記憶される延長されたデータ受信時間１４００ｍｓに変更される。
【００６４】
この延長されたデータ受信時間（１４００ｍｓ）は、親機１ａに接続し得る最大数の子機を接続した場合においても、巡回的に出力される各子機宛のデータを、各子機において少なくとも２回受信できる時間となっている。本実施例における子機の最大接続数は４台であるので、１６０ｍｓ間隔で親機１ａから４台の子機に出力されても、各子機は、データ受信時間（１４００ｍｓ）内で２回のデータ受信を実行できる。
【００６５】
通常の状態において、間隔を隔てて２回送信された電波は、少なくとも１度は受信できる信頼度が高い。よって、自機宛のデータを少なくとも２回受信できるように、延長されたデータ受信時間（１４００ｍｓ）を設計することにより、データ受信の信頼性を保障している。
【００６６】
ＲＡＭ３２は、各種のデータを一時的に記憶するためのメモリであり、Ａチャンネル子機フラグ３２ａと子機Ａチャンネル待機フラグ３２ｂと子機Ｂチャンネル待機フラグ３２ｃとを備えている。Ａチャンネル子機フラグ３２ａは、予め定められた一方の制御チャンネル（Ａチャンネル）に対応つけて設けられたフラグである。子機１ｂにおいても、親機１ａと同様に、子機制御チャンネル通信処理３１ａにおいて、４６チャンネル（Ａチャンネル）と８９チャンネル（Ｂチャンネル）の２の制御チャンネルを交互に検出している。そして、このＡチャンネル子機フラグ３２ａにより次に検出される制御チャンネルがどちらのチャンネルであるかが示されている。Ａチャンネル子機フラグ３２ａがオンであれば、Ａチャンネル（４６チャンネル）の検出が実行される。一方、Ａチャンネル子機フラグ３２ａがオフであれば、Ｂチャンネル（８９チャンネル）の検出が実行される。このＡチャンネル子機フラグ３２ａは、Ｂチャンネルの検出動作が完了したタイミングでオンされ、Ａチャンネルの検出動作が完了したタイミングでオフされる。
【００６７】
子機Ａチャンネル待機フラグ３２ｂは、子機１ｂにおいて、Ａチャンネル（４６チャンネル）と同じチャンネルのノイズを検出した際にオンされるフラグである。この子機Ａチャンネル待機フラグ３２ｂは、Ａチャンネルの検出処理の実行後に、引き続いてＢチャンネルの検出処理を行うか否かを識別するためのフラグとなっている。また、子機Ｂチャンネル待機フラグ３２ｃは、子機１ｂにおいて、Ｂチャンネル（８９チャンネル）と同じチャンネルのノイズを検出した際にオンされるフラグである。子機Ａチャンネル待機フラグ３２ｂと同様に、Ｂチャンネルの制御チャンネルの検出後に、引き続いてＢチャンネルの検出を行うか否かを識別するためのフラグである。かかるフラグ３２ｂ，３２ｃは、未検出の他方の制御チャンネルの検出動作の終了後にオフされる。
【００６８】
ＥＥＰＲＯＭ３９は、書換可能な不揮発性のメモリであり、このＥＥＰＲＯＭ３９へ記憶されたデータは電源オフ後も保持される。このＥＥＰＲＯＭ３９は、ＩＤメモリ３９ａと子機番号メモリ３９ｂとを備えている。ＩＤメモリ３９ａは、親子電話装置１を識別するＩＤコードが記憶されるメモリである。親機１ａに新たに子機が増設された場合には、親機１ａのＩＤメモリ１４ａに記憶されているＩＤコードが増設された子機へと送信され、送信されたそのＩＤコードは、このＩＤコードメモリに記憶される。
【００６９】
子機番号メモリ３９ｂには、子機の固有の識別番号が記憶されており、この識別番号が付加されたデータが親機１ａから送信されると、子機１ｂは、親機１ａから自機宛に送信されたデータであることを認識する。また、親機１ａに送信するデータには、この子機番号メモリ３９ｂに記憶されている識別番号が付加されて送信される。
【００７０】
アンテナ３３は、子機１ｂと親機１ａとの間での電波の送受信を行うものであり、コードレスユニット３４、マイク３５、スピーカ３６と接続されている。親機１ａから送信されたアナログ音声信号は、アンテナ３３に受信された後、スピーカ３６に出力され、マイク３５から入力されたアナログ音声信号（使用者の発話）は、アンテナ３３から親機１ａへと送信される。
【００７１】
コードレスユニット３４は、音声信号やデータ信号を電波として送信するためのユニットである。コードレスユニット３４は親機１ａとの間でデータの送受信を行うためのものであり、子機１ｂから親機１ａへと送信される各種信号は、このコードレスユニット３４からアンテナ３３を介して送信され、一方、親機１ａから子機１ｂへ送信される各種信号は、アンテナ３３に受信された後、コードレスユニット３４を介してＣＰＵ３０に入力される。
【００７２】
この子機１ｂは、コネクタ４９を介して充電台５０と接続されるように構成されている。そして、コネクタ４９で充電台５０と接続されることにより、子機１ｂは、外部電源からの電源供給を受ける。供給された電源は、コネクタ４９を経由して子機１ｂに内蔵される電源ユニット４８へ供給される。電源ユニット４８には２次電池が備えられており、供給された電源により該２次電池は充電される。子機１ｂは、この電源ユニット４８から電源供給を受けるので、充電台５０から取り上げて操作する場合においても、（電源ユニット４８に備えられた２次電池により）電源が保証される。
【００７３】
このコネクタ４９と充電台５０との接続状態をＣＰＵ３０は監視しており、ＣＰＵ３０は、コネクタ４９が充電台５０から外れたことを認識した場合には、子機制御チャンネル通信処理３１ａで実行される制御チャンネルの検出処理を間欠動作で実行する。
【００７４】
次に、図３と図４とを使用して、親機１ａまたは子機１ｂ〜１ｄでの制御チャンネル検出のタイミングについて説明する。図３は、親機１ａで実行される制御チャンネル検出を模式的に示したタイミングチャートである。横軸は、時間軸７５となっており、時間軸７５の原点Ｏは０ｍｓ（ミリセカンド）を示しており、ａ点は子機の制御チャンネルの出力時間である１０００ｍｓ（１秒）を示している。
【００７５】
親子電話装置１において、親機１ａは、子機１ｂ〜１ｄからの通信要求があれば、これに基づいて子機１ｂ〜１ｄとの間で通信のリンクを確立（無線リンクの確立）し、通信を開始する。子機１ｂ〜１ｄは、この通信要求を制御チャンネルにより出力するので、親機１ａは、この子機１ｂ〜１ｄからの通信要求に応答できるように、定常的に制御チャンネルの検出を行っているのである。
【００７６】
また、親機１ａと子機１ｂ〜１ｄとは、無線リンクが確立された後は、空いている通話チャンネルのいずれかに遷移して、遷移した通話チャンネルで通話などのデータ通信を実行する。このため、親機１ａは、子機１ｂ〜１ｄにより出力される制御チャンネルを検出すると共に、空き通話チャンネルの検出についても定常的（定期的）に実行している。
【００７７】
図３（ａ）は、通常の状態、即ち、制御チャンネルの電波が検出されない場合での制御チャンネルの検出タイミングを示している。制御チャンネルの検出（制御チャンネルのスニフ）と通話チャンネルの検出（通話チャンネルのスキャン）とは交互に実行され、制御チャンネルの検出においては、１のタイミングでいずれか一方の制御チャンネルの検出が実行される。また、制御チャンネルの検出では、２の制御チャンネルの検出は交互に実行される。図３（ａ）においては、まず、１０ｍｓのＡチャンネルの検出が実行されている（検出部５５）。しかし、Ａチャンネルは検出されなかったため、続いて、１７０ｍｓの通話チャンネルの検出が実行される（検出部５６）。その後は、１０ｍｓのＢチャンネルの検出が実行され（検出部５７）、ここでもＢチャンネルが検出されず、再び、１７０ｍｓの通話チャンネルの検出が実行される（検出部５８）。制御チャンネルの電波が検出されない状態では、かかる検出パターン（検出部５５〜５８）が繰り返して実行される。これにより、制御チャンネルの検出と通話チャンネルの空きの検出とをむらなく効率的に実行することができる。
【００７８】
図３（ｂ）は、子機１ｂ〜１ｄから制御チャンネル（正当な電波）が出力された場合の制御チャンネルの検出タイミングを示している。いずれかの制御チャンネルが検出された場合（図３（ｂ）においてはＡチャンネル、検出部５５'）、親機１ａは、子機からのデータ受信を３９０ｍｓ待機（データ受信の実行）する（リプライ部５９）。この３９０ｍｓの間に、子機からのデータ（接続要求信号など）を受信した場合には、通話チャンネルへ遷移し（遷移部７１）、親機１ａと制御チャンネル出力元（即ち通信要求元）の子機とで通信を実行する。
【００７９】
図３（ｃ）は、検出された１の制御チャンネルがノイズであった場合の、制御チャンネルの検出タイミングを示している。親機１ａは、近隣に４６チャンネル（Ａチャンネル）または８９チャンネル（Ｂチャンネル）の電波があれば、子機１ｂ〜１ｄにより出力された電波と区別なく制御チャンネルとして検出する。図３（ｃ）においては、まず、Ａチャンネルが検出された状態である（検出部５５'）。かかる場合に、３９０ｍｓのリプライ部５９において、子機からのデータ（接続要求信号など）送信がなければ、検出した制御チャンネルがノイズとして判別される。逆に言えば、ノイズを検出してしまっても、それを判別するためには、リプライ部５９でデータの受信を待機しなくてはならないのである。そして、その後、直ちに検出するチャンネルの設定を未検出のＢチャンネルへ変更し、Ｂチャンネルの検出を実行する（検出部５７'）。この検出部５７'でＢチャンネルが検出されると、再度、子機１ｂ〜１ｄからのデータを３９０ｍｓの間、受信（待機）する（リプライ部６０）。
【００８０】
このように、電波は子機１ｂ〜１ｄからのみならず、様々な場所から出力されているので、子機１ｂ〜１ｄから出力される制御チャンネルには、該電波（ノイズ）が重畳してしまう。ここで、そのノイズが制御チャンネルと同じチャンネルで出力されている場合がある。制御チャンネルは１チャンネルずつの交互検出であるので、子機１ｂ〜１ｄからはＢチャンネルが出力されているにも関わらず、先にノイズであるＡチャンネルを検出してしまうという事態が発生する。しかし、親機１ａでは、図３（ｃ）に示したように、ノイズが検出された場合には、通話チャンネルの検出に優先して、直ちに未検出の他の制御チャンネルの検出を実行するので、両方の制御チャンネルが検出されてそのデータ受信をそれぞれ実行しても、かかる一連の処理を１秒以内に終了させることができる。つまり、子機１ｂ〜１ｄからは、１秒間しか制御チャンネルが出力されないが、先に誤ってノイズを検出しても、正当な制御チャンネルで伝送されているデータを確実に受信することができる。
【００８１】
図３（ｄ），図３（ｅ）は、比較例としての制御チャンネルの検出タイミングを示している。図３（ｄ）においては、Ａチャンネルが検出されて（検出部５５'）、３９０ｍｓのデータ受信（待機）が実行されている（リプライ部５９）。この図３（ｄ）では、子機１ｂ〜１ｄからのデータを受信できなかった場合においても、１７０ｍｓの通話チャンネルの検出が実行されている（検出部５６）。この通話チャンネルの検出後に、未検出のＢチャンネルの検出が実行されるので（検出部５７'）、ここでＢチャンネルが検出されると、データ受信（リプライ部５９）段階で１秒を超過し、子機１ｂ〜１ｄから送信されるデータを完全に受信することができない。
【００８２】
図３（ｅ）においては、Ａチャンネルが検出され（検出部５５'）、５００ｍｓのデータ受信（待機）が実行されている（リプライ部６１）。そして、直ちに未検出のＢチャンネルの検出を実行する（検出部５７'）が、リプライ部６１のデータ受信時間が適切でないため、Ｂチャンネルでのデータ受信（リプライ部６１）の段階で１秒を超過してしまうため、子機１ｂ〜１ｄから送信されるデータを完全に受信することはできない。
【００８３】
このように、２の制御チャンネルにより無線リンクを確立する仕様である本実施例の親機１ａは、２の制御チャンネルの両方でデータ受信を実行しても、その一連の処理が１秒以内に終了できる。このため、ノイズが制御チャンネルとして検出されてしまっても、正当な制御チャンネルでのデータ受信に支障を来すことがない。
【００８４】
図４は、充電台５０から脱着された子機１ｂ〜１ｄで実行される制御チャンネル検出のタイミングを模式的に示したタイミングチャートである。横軸は、時間軸７５となっており、時間軸７５の原点Ｏは０ｍｓを示しており、ａ点は親機の制御チャンネルの出力時間である４０００ｍｓ（４秒）を示している。
【００８５】
親子電話装置１において、子機１ｂ〜１ｄは、親機１ａからの通信要求があれば、これに基づいて親機１ａとの間で通信のリンクを確立（無線リンクの確立）し、通信を開始する。親機１ａは、この通信要求を制御チャンネルにより出力するので、子機１ｂ〜１ｄも親機１ａと同様に、親機１ａからの通信要求に応答できるように定常的に制御チャンネルの検出を行っているのである。上記したように、充電台５０からの脱着時には、消費電力の低減を図るために、この制御チャンネルの検出は、スタンバイ状態を挟んで間欠的に実行される。
【００８６】
図４（ａ）は、通常の状態、即ち、制御チャンネルの電波が検出されない場合での制御チャンネルの検出タイミングを示している。通常、ＡチャンネルおよびＢチャンネルの検出（制御チャンネルのスニフ）は交互に実行され、Ａチャンネルの検出とＢチャンネルの検出との間には、スタンバイ状態となる。図４（ａ）においては、まず、１０ｍｓのＡチャンネルの検出が実行されている（検出部６５）。しかし、Ａチャンネルは検出されなかったため、続いて、１０６５ｍｓのスタンバイ状態となる（スタンバイ部６６）。その後は、１０ｍｓのＢチャンネルの検出が実行され（検出部６７）、ここでもＢチャンネルが検出されず、再び、１０６５ｍｓのスタンバイ状態となる（スタンバイ部６６）。制御チャンネルの電波が検出されない状態では、かかる検出パターン（検出部６５〜６７）が繰り返して実行される。
【００８７】
図４（ｂ）は、親機１ａから制御チャンネル（正当な電波）が出力された場合の制御チャンネルの検出タイミングを示している。スタンバイ状態（スタンバイ部６６）が終了した子機１ｂ〜１ｄでは、前回の検出とは別のチャンネル（図４（ｂ）においてはＡチャンネル）の検出が行われ、Ａチャンネルが検出された状態である（検出部６５'）。このため、Ａチャンネルで送信されるデータを受信するためにデータ受信を実行（待機）する。ここで、データが受信され且つその受信データに、親子電話装置１のＩＤコードが含まれると、自機宛にそのデータは送信されていると予測できる。よって、リプライ部でのデータ受信時間を延長されたデータ受信時間１４００ｍｓとする（リプライ部６８'）。しかし、この１４００ｍｓの間に、自機の識別番号を受信できなければ、親機１ａから出力中のデータは、他の子機宛に送信されたデータであるので、スタンバイ状態へ移行する（スタンバイ部６６）。
【００８８】
また、リプライ部６８'の１４００ｍｓの間に、自機の識別番号を受信した場合には、通話チャンネルに遷移し（遷移部７２）、親機１ａとの間で通信を実行する（図４（ｃ））。
【００８９】
図４（ｄ）は、検出された１の制御チャンネルがノイズであった場合の、制御チャンネルの検出タイミングを示している。子機１ｂ〜１ｄにおいても、近隣に４６チャンネル（Ａチャンネル）または８９チャンネル（Ｂチャンネル）の電波があれば、親機１ａにより出力された電波と区別なく制御チャンネルとして検出する。図４（ｄ）においては、まず、Ａチャンネルが検出された状態である（検出部６５'）。かかる場合に、７００ｍｓのリプライ部６８において、親子電話装置１のＩＤコードの受信がなければ、検出した制御チャンネルがノイズとして判別される。そして、直ちに、未検出のＢチャンネルの検出を実行する（検出部６７'）。ここで、Ｂチャンネルが検出され、更に、親子電話装置１のＩＤコードが含まれていると、リプライ部において延長されたデータ受信時間１４００ｍｓでデータの受信を実行（待機）する（リプライ部６８'）。
【００９０】
このように、子機１ｂ〜１ｄでは、図４（ｄ）に示したように、ノイズが検出された場合には、スタンバイ状態に移行せずに、直ちに未検出の他の制御チャンネルの検出を実行するので、両方の制御チャンネルが検出され、そのデータ受信をそれぞれ実行しても、かかる一連の処理を４秒以内に終了させることができる。つまり、４秒間しか制御チャンネルを出力できない親機１ａから、制御チャンネルで伝送されるデータを（４秒の内に）確実に受信することができる。
【００９１】
図４（ｅ）は、比較例としての制御チャンネルの検出タイミングを示している。図４（ｅ）においては、Ａチャンネルが検出され（検出部６５'）、７００ｍｓのデータ受信（待機）が実行されている（リプライ部６８）。この７００ｍｓのリプライ部６８においては、親子電話装置１のＩＤコードの受信がされず検出した制御チャンネルはノイズとして判別されるが、この図４（ｅ）では、ＩＤコードを受信できなかった場合においても、スタンバイ状態に移行している（スタンバイ部６６）。その後、未検出のＢチャンネルの検出が実行され（検出部６７'）、ここでＢチャンネルが検出された場合には、データ受信（リプライ部６８'）の段階で４秒を越えてしまうため、子機１ｂ〜１ｄから送信されるデータを完全に受信することはできない。
【００９２】
次に、図５〜図７のフローチャートを参照して、上記のように構成された親子電話装置１の親機１ａで実行される制御チャンネル通信処理について説明する。制御チャンネル通信処理は、通話チャンネルに遷移していない状態で繰り返して実行され、子機１ｂ〜１ｄから出力される制御チャンネル（通信要求）を検出し、子機１ｂ〜１ｄとの間で通信のリンクを形成するための処理である。
【００９３】
この制御チャンネル通信処理では、まず、Ａチャンネルフラグ１３ａがオンされているか否かを確認し（Ｓ１）、Ａチャンネルフラグ１３ａがオンされていると（Ｓ１：Ｙｅｓ）、次に検出する制御チャンネルがＡチャンネルであるので、Ａチャンネルの検出を行うＡチャンネルスニフ処理を実行する（Ｓ２）。Ａチャンネルスニフ処理（Ｓ２）の実行後は、Ａチャンネルフラグ１３ａをオフし（Ｓ３）、通話チャンネルに遷移したか否かを確認する（Ｓ４）。Ａチャンネルスニフ処理（Ｓ２）において、子機１ｂ〜１ｄとの間で無線リンクが確立され、通話チャンネルに遷移した場合には（Ｓ４：Ｙｅｓ）、その通話チャンネルによる通話処理に移行するべく、この制御チャンネル通信処理を終了する。
【００９４】
一方、Ｓ４の処理で確認した結果、通話チャンネルに遷移していなければ（Ｓ４：Ｎｏ）、Ａチャンネル待機フラグ１３ｂがオンされているか否かを確認する（Ｓ５）。ここで、Ａチャンネル待機フラグ１３ｂがオンされていると（Ｓ５：Ｙｅｓ）、Ａチャンネルスニフ処理（Ｓ２）でＡチャンネルが検出され、データ受信が実行されたことが示されている。また、Ｓ５の処理では、通話チャンネルに遷移していない状態であるので、このＡチャンネル待機フラグ１３ｂのオンはＡチャンネルスニフ処理（Ｓ２）で検出されたチャンネルがノイズであったことを示している。
【００９５】
そこで、Ｂチャンネル待機フラグ１３ｃがオンされているか否かを確認する（Ｓ６）。ここで、このＢチャンネル待機フラグ１３ｃがオンであれば（Ｓ６：Ｙｅｓ）、実行されたＡチャンネルスニフ処理（Ｓ２）は、既にＢチャンネルの検出が実行され、そのＢチャンネルがノイズで検出されたが故に実行されたものである。よって、Ｂチャンネル待機フラグ１３ｃをオフして（Ｓ７）、通話チャンネルを検出する通話チャンネルスキャン処理を実行する（Ｓ８）。
【００９６】
その後は、Ｂチャンネルスニフ処理を実行し（Ｓ９）、Ａチャンネルフラグ１３ａをオンする（Ｓ１０）。このＡチャンネルフラグ１３ａのオンにより、次回に検出すべき制御チャンネルがＢチャンネルとして設定される。そして、通話チャンネルに遷移したか否かを確認し（Ｓ１１）、Ｂチャンネルスニフ処理（Ｓ９）において、子機１ｂ〜１ｄとの間で無線リンクが確立され、通話チャンネルに遷移していた場合には（Ｓ１１：Ｙｅｓ）、その通話チャンネルによる通話処理に移行するべく、この制御チャンネル通信処理を終了する。
【００９７】
一方、Ｓ１１の処理で確認した結果、通話チャンネルに遷移していなければ（Ｓ１１：Ｎｏ）、Ｂチャンネル待機フラグ１３ｃがオンされているか否かを確認し（Ｓ１２）、Ｂチャンネルスニフ処理（Ｓ９）で検出されたチャンネルがノイズであったか否かを確認する。確認の結果、Ｂチャンネル待機フラグ１３ｃがオンされていると（Ｓ１２：Ｙｅｓ）、Ｂチャンネルスニフ処理（Ｓ９）でノイズが検出されているので、Ａチャンネル待機フラグ１３ｂがオンされているか否かを調べる（Ｓ１３）。
【００９８】
その結果、Ａチャンネル待機フラグ１３ｂがオンされていると（Ｓ１３：Ｙｅｓ）、実行されたＢチャンネルスニフ処理（Ｓ９）は、既にＡチャンネルの検出が実行され、そのＡチャンネルがノイズで検出されたが故に実行されたものである。よって、Ａチャンネル待機フラグ１３ｂをオフして（Ｓ１４）、通話チャンネルを検出する通話チャンネルスキャン処理を実行する（Ｓ１５）。その後は、その処理をＳ２の処理に移行し、制御チャンネル通信処理を繰り返して実行する。
【００９９】
また、Ｓ１の処理で確認した結果、Ａチャンネルフラグ１３ａがオフであれば（Ｓ１：Ｎｏ）、次に検出すべき制御チャンネルはＢチャンネルであるので、その処理をＳ９の処理に移行して、Ｂチャンネルスニフ処理（Ｓ９）を実行する。
【０１００】
更に、Ｓ５の処理で確認した結果、Ａチャンネル待機フラグ１３ｂがオフであれば（Ｓ５：Ｎｏ）、Ａチャンネルスニフ処理（Ｓ２）において、Ａチャンネルは検出されていないので、Ｓ６の処理をスキップして、その処理をＳ７の処理に移行する。
【０１０１】
加えて、Ｓ６の処理で確認した結果、Ｂチャンネル待機フラグ１３ｃがオフであれば（Ｓ６：Ｎｏ）、Ａチャンネルスニフ処理（Ｓ２）において、ノイズが検出されている上、Ｂチャンネルスニフ処理（Ｓ９）は未実行であるので、Ａチャンネルスニフ処理（Ｓ２）に引き続いてＢチャンネルスニフ処理（Ｓ９）を実行するべく、その処理をＢチャンネルスニフ処理（Ｓ９）に移行する。
【０１０２】
一方、Ｓ１２の処理で確認した結果、Ｂチャンネル待機フラグ１３ｃがオフであれば（Ｓ１２：Ｎｏ）、Ｂチャンネルスニフ処理（Ｓ９）において、Ｂチャンネルは検出されていないので、Ｓ１３の処理をスキップして、その処理をＳ１４の処理に移行する。
【０１０３】
また、Ｓ１３の処理で確認した結果、Ａチャンネル待機フラグ１３ｂがオフであれば（Ｓ１３：Ｎｏ）、Ｂチャンネルスニフ処理（Ｓ９）において、ノイズが検出されている上、Ａチャンネルスニフ処理（Ｓ２）は未実行であるので、Ｂチャンネルスニフ処理（Ｓ９）に引き続いてＡチャンネルスニフ処理（Ｓ９）を実行するべく、その処理をＳ２の処理に移行する。
【０１０４】
このように、検出された一方のチャンネルがノイズであった場合に、速やかに未検出の他方のチャンネルを検出するので、子機１ｂ〜１ｄがその他方の制御チャンネルでデータを出力していても、それを確実に受信して通信のリンクを高信頼度で形成することができる。
【０１０５】
図６は、図５の制御チャンネル通信処理の中で実行されるＡチャンネルスニフ処理（Ｓ２）のフローチャートである。Ａチャンネルスニフ処理（Ｓ２）では、まず、検出チャンネルの設定を切り替えて、１０ｍｓの間、Ａチャンネルをスニフ（検出）する（Ｓ２１）。そして、Ａチャンネルの電界（電波）が検出されたか否かを確認し（Ｓ２２）、その結果、Ａチャンネルの電界（電波）が検出されていなければ（Ｓ２２：Ｎｏ）、このＡチャンネルスニフ処理（Ｓ２）を終了する。
【０１０６】
また、Ｓ２２の処理で確認した結果、Ａチャンネルの電界（電波）が検出されていると（Ｓ２２：Ｙｅｓ）、子機１ｂ〜１ｄからのデータの受信を３９０ｍｓの間、実行（待機）する（Ｓ２４）。そして、子機１ｂ〜１ｄからのデータが受信されたか否を確認し（Ｓ２５）、ここで、子機１ｂ〜１ｄからのデータ受信がなかった場合には（Ｓ２５：Ｎｏ）、検出したＡチャンネルはノイズであるので、ノイズを検出したことを示すＡチャンネル待機フラグ１３ｂをオンして（Ｓ２６）このＡチャンネルスニフ処理（Ｓ２）を終了する。一方、Ｓ２５の処理で確認した結果、子機１ｂ〜１ｄからのデータを受信した場合には（Ｓ２５：Ｙｅｓ）、通話チャンネルに遷移して（Ｓ２７）、このＡチャンネルスニフ処理（Ｓ２）を終了する。
【０１０７】
図７は、図６の制御チャンネル通信処理の中で実行されるＢチャンネルスニフ処理（Ｓ９）のフローチャートである。Ｂチャンネルスニフ処理（Ｓ９）は、図６のＡチャンネルスニフ処理（Ｓ２）と同様に実行され、まず、検出チャンネルの設定を切り替えて、１０ｍｓの間、Ｂチャンネルをスニフする（Ｓ３１）。そして、Ｂチャンネルの電界（電波）の検出に基づいて、子機１ｂ〜１ｄからのデータの受信を３９０ｍｓの間、実行（待機）する（Ｓ３２〜Ｓ３４）。そして、子機１ｂ〜１ｄからのデータが受信されたか否を確認し（Ｓ３５）、その結果、検出したＢチャンネルがノイズであれば（Ｓ３５：Ｎｏ）、Ｂチャンネル待機フラグ１３ｃをオンして（Ｓ３６）このＢチャンネルスニフ処理（Ｓ９）を終了する。一方、子機１ｂ〜１ｄからのデータを受信した場合には（Ｓ３５：Ｙｅｓ）、通話チャンネルに遷移して（Ｓ３７）、このＢチャンネルスニフ処理（Ｓ９）を終了する。
【０１０８】
次に、図８〜図１０のフローチャートを参照して、親子電話装置１の子機１ｂ〜１ｄで実行される子機制御チャンネル通信処理について説明する。子機制御チャンネル通信処理は、通話チャンネルに遷移していない状態で繰り返して実行され、親機１ａから出力される制御チャンネル（通信要求）を検出し、親機１ａとの間で通信のリンクを形成するための処理である。
【０１０９】
この子機制御チャンネル通信処理では、まず、子機１ｂ〜１ｄが充電台５０に設置されているか否かを確認し（Ｓ４１）、その結果、子機１ｂ〜１ｄが充電台５０に設置されていなければ（Ｓ４１：Ｎｏ）、Ａチャンネル子機フラグ３２ａがオンされているか否かを確認する（Ｓ４２）。ここで、Ａチャンネル子機フラグ３２ａがオンされていると（Ｓ４２：Ｙｅｓ）、次に検出するべき制御チャンネルはＡチャンネルであるので、Ａチャネルの検出を行う子機Ａチャンネルスニフ処理を実行する（Ｓ４３）。
【０１１０】
そして、子機Ａチャンネルスニフ処理（Ｓ４３）の実行後は、Ａチャンネル子機フラグ３２ａをオフした後（Ｓ４４）、子機Ａチャンネルスニフ処理（Ｓ４３）において通話チャンネルに遷移したか否かを確認する（Ｓ４５）。その結果、子機Ａチャンネルスニフ処理（Ｓ４３）において、親機１ａとの間で無線リンクが確立され、通話チャンネルに遷移している場合には（Ｓ４５：Ｙｅｓ）、その通話チャンネルによる通話処理に移行するべく、この子機制御チャンネル通信処理を終了する。
【０１１１】
一方、Ｓ４５の処理で確認した結果、通話チャンネルに遷移していなければ（Ｓ４５：Ｎｏ）、子機Ａチャンネル待機フラグ３２ｂがオンされているか否かを調べ（Ｓ４６）、この子機Ａチャンネル待機フラグ３２ｂがオフであれば、（Ｓ４６：Ｎｏ）、子機Ａチャンネルスニフ処理（Ｓ４３）ではＡチャンネルが検出されていない。よって、子機Ｂチャンネル待機フラグ３２ｃをオフして（Ｓ４７）、スタンバイ処理を実行する（Ｓ４８）。これにより、子機１ｂ〜１ｄは、所定時間（本実施例においては、約１秒間）スタンバイ状態になる。
【０１１２】
次に（スタンバイ処理終了後）、子機Ｂチャンネルスニフ処理を実行し（Ｓ４９）、Ｂチャンネルの検出を実行する。そして、子機Ｂチャンネルスニフ処理（Ｓ４９）の実行後は、Ａチャンネル子機フラグ３２ａをオンして（Ｓ５０）、次回に検出すべき制御チャンネルをＢチャンネルとして設定する。続いて、子機Ｂチャンネルスニフ処理（Ｓ４９）において、通話チャンネルに遷移したか否かを確認し（Ｓ５１）、子機Ｂチャンネルスニフ処理（Ｓ４９）において、親機１ａとの間で無線リンクが確立され、通話チャンネルに遷移している場合には（Ｓ５１：Ｙｅｓ）、その通話チャンネルによる通話処理に移行するべく、この子機制御チャンネル通信処理を終了する。
【０１１３】
また、Ｓ５１の処理で確認した結果、通話チャンネルに遷移していなければ（Ｓ５１：Ｎｏ）、子機Ｂチャンネル待機フラグ３２ｃがオンされているか否かを確認する（Ｓ５２）。ここで、子機Ｂチャンネル待機フラグ３２ｃがオフであると（Ｓ５２：Ｎｏ）、子機Ｂチャンネルスニフ処理（Ｓ４９）ではＢチャンネルが検出されていない。よって、子機Ａチャンネル待機フラグ３２ｂをオフして（Ｓ５３）、スタンバイ処理を実行し（Ｓ５４）、その後、その処理をＳ４１の処理に移行する。これにより、制御チャンネルを検出する一連の処理が繰り返して実行される。
【０１１４】
また、Ｓ４１の処理で確認した結果、子機１ｂ〜１ｄが充電台５０に設置されていると（Ｓ４１：Ｙｅｓ）、電源が十分に確保されるので、２の制御チャンネルの交互検出を連側的に実行する充電時スニフ処理を実行して（Ｓ５９）、その処理をＳ４１の処理に移行する。これにより、充電台５０に子機１ｂ〜１ｄが設置されている間は、スタンバイ状態を挟むことなく、繰り返して制御チャンネルの検出が実行される。
【０１１５】
更に、Ｓ４２の処理で確認した結果、Ａチャンネル子機フラグ３２ａがオフであれば（Ｓ４２：Ｎｏ）、次に検出する制御チャンネルはＢチャンネルであるので、その処理をＳ４９の処理に移行する。
【０１１６】
加えて、Ｓ４６の処理で確認した結果、子機Ａチャンネル待機フラグ３２ｂがオンされていると（Ｓ４６：Ｙｅｓ）、子機Ａチャンネルスニフ処理（Ｓ４３）でＡチャンネルが検出され、データ受信が実行されたことが示されている。また、Ｓ４６の処理では、通話チャンネルに遷移していない。従って、このＡチャンネル待機フラグ３２ｂのオンは子機Ａチャンネルスニフ処理（Ｓ４３）で検出されたチャンネルがノイズであったことを示している。
【０１１７】
そこで、更に、子機Ｂチャンネル待機フラグ３２ｃがオンされているか否かを確認する（Ｓ５７）。ここで、子機Ｂチャンネル待機フラグ３２ｃがオンされていると（Ｓ５７：Ｙｅｓ）、実行された子機Ａチャンネルスニフ処理（Ｓ４３）は、既にＢチャンネルの検出が実行され、そのＢチャンネルがノイズで検出されたが故に実行されたものであるので、その処理をＳ４７の処理に移行する。
【０１１８】
一方、Ｓ５７の処理で確認した結果、この子機Ｂチャンネル待機フラグ３２ｃがオフであれば（Ｓ５７：Ｎｏ）、子機Ａチャンネルスニフ処理（Ｓ４３）においてノイズが検出されている上、子機Ｂチャンネルスニフ処理（Ｓ４９）は未実行であるので、子機Ａチャンネルスニフ処理（Ｓ４３）に引き続いて子機Ｂチャンネルスニフ処理（Ｓ４９）を実行するべく、その処理を子機Ｂチャンネルスニフ処理（Ｓ４９）に移行する。
【０１１９】
加えて、Ｓ５２の処理で確認した結果、子機Ｂチャンネル待機フラグ３２ｃがオンされていると（Ｓ５２：Ｙｅｓ）、子機Ａチャンネルスニフ処理（Ｓ４３）で検出された制御チャンネルはノイズである。そこで、更に、子機Ａチャンネル待機フラグ３２ｂがオンされているか否かを確認し（Ｓ５８）、ここで、この子機Ａチャンネル待機フラグ３２ｂがオンであれば（Ｓ５８：Ｙｅｓ）、実行された子機Ｂチャンネルスニフ処理（Ｓ４９）は、既にＡチャンネルの検出が実行され、そのＡチャンネルがノイズで検出されたが故に実行されたものであるので、その処理をＳ５３の処理に移行する。
【０１２０】
また、Ｓ５８の処理で確認した結果、この子機Ａチャンネル待機フラグ３２ｂがオフであれば（Ｓ５８：Ｎｏ）、子機Ｂチャンネルスニフ処理（Ｓ４９）においてノイズが検出されている上、子機Ａチャンネルスニフ処理（Ｓ４３）は未実行であるので、子機Ｂチャンネルスニフ処理（Ｓ４９）に引き続いて子機Ａチャンネルスニフ処理（Ｓ４３）を実行するべく、その処理を子機Ａチャンネルスニフ処理（Ｓ４３）に移行する。
【０１２１】
図９は、図８の子機制御チャンネル通信処理の中で実行される子機Ａチャンネルスニフ処理（Ｓ４３）のフローチャートである。子機Ａチャンネルスニフ処理（Ｓ４３）では、まず、検出チャンネルの設定を切り替えて、１０ｍｓの間、Ａチャンネルをスニフ（検出）する（Ｓ６１）。そして、Ａチャンネルの電界（電波）が検出されたか否かを確認し（Ｓ６２）、その結果、Ａチャンネルの電界（電波）が検出されなければ（Ｓ６２：Ｎｏ）、この子機Ａチャンネルスニフ処理を終了する。
【０１２２】
一方、Ａチャンネルの電界（電波）が検出されていると（Ｓ６２：Ｙｅｓ）、親機１ａからのデータの受信（リプライ）を第１リプライ値メモリに記憶されるデータ受信時間７００ｍｓの間、実行（待機）する（Ｓ６４）。そして、この７００ｍｓの間に親機１ａからのＩＤコードを受信したか否を確認する（Ｓ６５）。ここで、ＩＤコードを受信した場合には（Ｓ６５：Ｙｅｓ）、制御チャンネルの出力元は親機１ａである（ノイズでない）ので、親機１ａから自機宛てにデータが送信されていることが予測できる。故に、親機１ａから送信される子機の識別番号を受信するべく、親機１ａからのデータの受信（リプライ）を第２リプライ値メモリに記憶される延長されたデータ受信時間１４００ｍｓで実行する（Ｓ６６）。つまり、データ受信時間を延長（変更）するのである。
【０１２３】
次に、延長されたデータ受信時間において、自機の識別番号を受信したか否かを確認し（Ｓ６７）、その結果、自機の識別番号を受信していなければ（Ｓ６７：Ｎｏ）、この子機Ａチャンネルスニフ処理（Ｓ４３）を終了する。
【０１２４】
また、Ｓ６５の処理で確認した結果、ＩＤコードが受信されなければ（Ｓ６５：Ｎｏ）、制御チャンネルの出力元は親機１ａでない。つまり、検出したＡチャンネルは、ノイズであるので、子機Ａチャンネル待機フラグ３２ｂをオンして（Ｓ６８）、この子機Ａチャンネルスニフ処理を終了する。
【０１２５】
更に、Ｓ６７の処理で確認した結果、自機の識別番号を受信していれば（Ｓ６７：Ｙｅｓ）、通話チャンネルに遷移して（Ｓ６９）、この子機Ａチャンネルスニフ処理（Ｓ４３）を終了する。
【０１２６】
図１０は、図８の子機制御チャンネル通信処理の中で実行される子機Ｂチャンネルスニフ処理（Ｓ４９）のフローチャートである。子機Ｂチャンネルスニフ処理（Ｓ４９）は、子機Ａチャンネルスニフ処理（Ｓ４３）と同様に実行され、まず、検出チャンネルの設定を切り替えて、１０ｍｓの間、Ｂチャンネルをスニフし（Ｓ７１）、Ｂチャンネルの電界（電波）が検出されると、７００ｍｓの間、親機１ａからのデータの受信を実行（待機）する（Ｓ７１〜Ｓ７４）。ここで、ＩＤコード（親機１ａからの応答）を受信できなければ、子機Ｂチャンネルスニフ処理（Ｓ４９）で検出した制御チャンネルがノイズであったことを示す子機Ｂチャンネル待機フラグ３２ｃをオンしてこの子機Ｂチャンネルスニフ処理（Ｓ４９）を終了する。
【０１２７】
また、この７００ｍｓの間にＩＤコードを受信した場合には、データ受信時間を延長されたデータ受信時間（１４００ｍｓ）へ変更する（Ｓ７５，Ｓ７６）。ここで、自機の識別番号を受信しなければ子機Ｂチャンネルスニフ処理（Ｓ４９）を終了し、一方、自機の識別番号を受信した場合には、通話チャンネルに遷移して子機Ｂチャンネルスニフ処理（Ｓ４９）を終了する（Ｓ７７〜Ｓ７９）。
【０１２８】
以上、説明したように、本実施例の親子電話装置１によれば、複数の制御チャンネルのいずれかに同調して、親機１ａと子機１ｂ〜１ｄとの間で通信のリンクを形成する。かかる場合において、制御チャンネルと重畳してノイズが出力されていても、相手側装置から出力されている正当な制御チャンネルを確実に検出し、その正当な制御チャンネルで伝送されるデータに基づいて高信頼度で通信のリンクを形成することができる。
【０１２９】
尚、本実施例において、請求項１記載の制御チャンネル検出手段としては図５のＳ２とＳ９との処理が該当する。請求項１記載の通信リンク形成手段としては図６のＳ２２〜Ｓ２５とＳ２７との処理および、図７のＳ３２〜Ｓ３５とＳ３７との処理が該当する。請求項１記載の通話チャンネル検出手段としては図５のＳ８とＳ１５との処理が該当する。請求項１記載の交互検出手段としては図５のＳ１〜Ｓ１５の処理が該当する。請求項１記載の制御チャンネル優先検出手段としては図５のＳ６の処理のＮｏへの分岐とＳ１３の処理のＮｏへの分岐とが該当する。請求項１記載の第１受信手段としては図６のＳ２４の処理と、図７のＳ３４の処理とが該当する。請求項１記載の優先実行手段としては図５のＳ６の処理のＮｏへの分岐とＳ１３の処理のＮｏへの分岐とが該当する。
【０１３０】
請求項２記載の第２制御チャンネル検出手段としては図８のＳ４３とＳ４９との処理が該当する。請求項２記載の第２通信リンク形成手段としては図９のＳ６２〜Ｓ６７およびＳ６９の処理と図１０のＳ７２〜Ｓ７７およびＳ７９の処理とが該当する。請求項２記載の間欠実行手段としては図８のＳ４３〜Ｓ５８の処理が該当する。請求項２記載の動作変更手段としては図８のＳ５７の処理のＮｏへの分岐とＳ５８の処理のＮｏへの分岐とが該当する。請求項２記載の第２受信手段としては図９のＳ６４の処理と図１０のＳ７４の処理とが該当する。請求項２記載の認識手段としては、図９のＳ６５の処理と図１０のＳ７５の処理とが該当する。請求項２記載の動作実行手段としては図８のＳ５７の処理のＮｏへの分岐とＳ５８の処理のＮｏへの分岐とが該当する。請求項４記載の受信時間変更手段としては図９のＳ６６と図１０のＳ７６との処理が該当する。
【０１３１】
尚、図９の子機Ａチャンネルスニフ処理のＳ６４とＳ６６との処理および図１０の子機Ｂチャンネルスニフ処理のＳ７４とＳ７６との処理において、子機１ｂ〜１ｄは、親機１ａからのＩＤコードと子機の識別番号とを受信するが、このＩＤコードと子機の識別番号とを送信する親機１ａの処理が請求項５記載の情報送信手段に該当する。
【０１３２】
以上実施例に基づき本発明を説明したが、本発明は上記実施例に何ら限定されるものでなく、本発明の趣旨を逸脱しない範囲内で種々の改良変形が可能であることは容易に推察できるものである。
【０１３３】
例えば、本実施例では、子機１ｂ〜１ｄにおいて、親機１ａからのデータを受信するデータ受信時間は、親機１ａに接続し得る子機を最大数接続した場合を基準にして設けられた時間であった。これに代えて、登録された台数（実際に接続された台数）を基準にして設定しても良い。更に、本実施例の親子電話装置では、Ａチャンネルフラグ１３ａまたは、Ａチャンネル子機フラグ３２ａの状態（オンか否か）により、次に検出する制御チャンネルを決定した。このため、通話チャンネルでの通話（データの送受信）が終了して、制御チャンネル検出処理に復帰する場合には、その前に検出された制御チャンネルとは反対の制御チャンネルを検出するようになっている。これに代えて、前回通信に成功した制御チャンネルを優先的に使用するように親子電話装置１を構成し、そのチャンネルから検出するようにしても良い。また、親機１ａまたは子機１ｂ〜１ｄは、相手側装置（親機１ａまたは子機１ｂ〜１ｄ）とデータの通信を試みる場合に、出力する制御チャンネルを交互に使用する必要はなく、前回成功した制御チャンネルの使用を継続しても良く、通信リンクの形成に失敗することを契機として使用チャンネルを変更しても良い。また、制御チャンネルによる通信成功の履歴を記憶させておき、確率の高い方の制御チャンネルを出力（データ送信に使用）しても良い。また、該確率を時間帯で統計して時間帯による優位性を算出し、その時間帯による優位性に基づいて使用する制御チャンネルを決定しても良い。かかる手法によれば、制御チャンネルによる通信リンクの形成をより確実に実行することができる。
【０１３４】
【発明の効果】
請求項１記載の無線通信装置によれば、第１無線通信装置は、交互検出手段により制御チャンネル検出手段と通話チャンネル検出手段とを交互に動作させて、制御チャンネルと通話チャンネルとを交互に検出する。そして、制御チャンネル検出手段により１の制御チャンネルが検出されると、通話チャンネルの検出に優先して、残りの未検出の制御チャンネルの検出を実行する。よって、的確なタイミングで制御チャンネルの検出を実行することができるという効果がある。このため、複数の制御チャンネルを使用する場合に、使用されている（相手側装置から出力された）制御チャンネルを的確に検出し、確実に通信のリンクを形成することができる。
【０１３５】
また、制御チャンネル検出手段により制御チャンネルが検出されるとその制御チャンネルで伝送されたデータを受信する。そして、その受信したデータが正当な相手側装置からのデータでない場合に、制御チャンネル優先検出手段を実行させる。一般に、あらゆる場所には電界が存在するので、制御チャンネルの検出においてかかる電界即ちノイズを制御チャンネルの出力として検出してしまうことがある。このノイズと重畳して別のチャンネルで正当な制御チャンネルが出力されている場合に、先にノイズを検出してしまうと、正当な制御チャンネルの検出に支障を来たすことがある。つまり、制御チャンネル検出手段と通話チャンネル検出手段とを常に交互に動作させていると、ノイズ検出後には通話チャンネルの検出が実行されてしまい、次に正当な制御チャンネルを検出するまでのロスタイムが大きくなってしまう。出力中の正当な制御チャンネルは、電波状態の変化や出力時間などとの兼ね合いにより、ロスタイムが大きくなるとその検出が不確実となる。そこで、検出した制御チャンネルで伝送されたデータが正当な相手側装置からのデータでない（ノイズを制御チャンネルとして検出した）場合には、制御チャンネル優先検出手段を実行させて残りの未検出の制御チャンネルの検出を直ちに実行することにより、正当な相手側装置から出力される制御チャンネルを確実に検出することができるという効果がある。
【０１３６】
更に、第１受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されている。よって、全制御チャンネルに対してデータ受信を実行しても、データ送信元の相手側装置の予め定められたデータ出力時間内に必要なデータの受信を容易に完了することができるという効果がある。一般に、複数の制御チャンネルを使用する場合において、各制御チャンネルの検出は、１の制御チャンネル毎に順次実行される。ここで、全ての制御チャンネルの電界が近隣に存在すれば、全ての制御チャンネルの検出が実行されるが、検出順によっては、正当な制御チャンネルの検出は最後となる場合がある。また、データ送信元の相手側装置においては、予め定められた時間しかデータ出力できないことも多い。しかし、全制御チャンネルに対してデータ受信が実行されても、少なくともそのデータ受信時間の総計をデータ送信元の相手側装置の予め定められたデータ出力時間内とすることにより、全ての制御チャンネルの検出とデータ受信とを実行しても、相手側装置から出力される正当な制御チャンネルを確実に検出して、通信のリンクを形成することができる。
【０１３７】
請求項２記載の無線通信装置によれば、第２無線通信装置は、第２制御チャンネル検出手段により制御チャンネルが検出されると、間欠実行手段により実行される間欠検出での非動作時間をチャンネル検出前より減じて、残りの未検出の制御チャンネルの検出を実行する。よって、通常時には、間欠検出が実行されることで創出される非動作時間によりエネルギーの消耗を低減させることができる上、的確なタイミングで制御チャンネルの検出を実行することができるという効果がある。このため、複数の制御チャンネルを使用する場合に、使用されている（相手側装置から出力された）制御チャンネルを迅速に検出し、確実に通信のリンクを形成することができる。
【０１３８】
また、第２制御チャンネル検出手段により制御チャンネルが検出されるとその制御チャンネルで伝送されたデータを受信し、受信したデータが正当な相手側装置からのデータでないと認識されると動作変更手段を実行させる。近隣に存在する電界（ノイズ）を制御チャンネルとして誤って検出することがあるが、複数の制御チャンネルを使用する場合には、かかる誤った制御チャンネルの検出中に、他の残りの制御チャンネルが正当な相手側装置から出力されていることがある。しかし、検出した制御チャンネルで伝送されたデータが正当な相手側装置からのデータでない（ノイズを制御チャンネルとして検出した）場合には、非動作時間をチャンネル検出前より減じて残りの未検出の制御チャンネルの検出を直ちに実行することにより、正当な制御チャンネルを確実に検出することができる。
【０１３９】
請求項３記載の無線通信装置によれば、請求項２記載の無線通信装置の奏する効果に加え、第２無線通信装置は、第２受信手段によるデータ受信において各制御チャンネルに対するデータ受信時間は、全制御チャンネルに対してデータ受信が実行されても、少なくともそのデータ受信時間の総計がデータ送信元の相手側装置の予め定められたデータ出力時間内となるように設定されている。よって、全制御チャンネルに対してデータ受信を実行しても、データ送信元の相手側装置の予め定められたデータ出力時間内に必要なデータの受信を容易に完了することができるという効果がある。これにより、全ての制御チャンネルの検出とデータ受信とを実行しても、相手側装置から出力される正当な制御チャンネルを確実に検出して通信のリンクを形成することができる。
【０１４０】
請求項４記載の無線通信装置によれば、請求項２または３のいずれかに記載の無線通信装置の奏する効果に加え、第２無線通信装置は、認識手段により受信したデータが正当な相手側装置からのデータであると認識されると、データの受信時間を通常の受信時間から延長された受信時間へと変更する。よって、正当な相手側装置から送信されるデータを確実に受信することができるという効果がある。
【０１４１】
請求項５および６に記載の無線通信装置によれば、請求項４記載の無線通信装置の奏する効果に加え、第１無線通信装置は、制御チャンネルで接続される全ての第２無線通信装置に巡回的に第１無線通信装置を識別する第１識別情報と送信先の第２無線通信装置を識別する第２識別情報とを送信し、一方、第２無線通信装置は、その送信された第１識別情報が正当な相手側装置からの情報であると、データの受信時間を通常の受信時間から延長された受信時間へと変更する。そして、その延長された受信時間は、前記第１無線通信装置から巡回的に送信される自機宛の第２識別情報を少なくとも２回受信し得る時間となっている。よって、自機宛に第１無線通信装置から送信された第１識別情報と第２識別情報とを確実に受信することができるという効果がある。一般に、情報を電波（制御チャンネル）で伝送する場合には、近隣の環境により通信状態が左右される。通信状態が悪化した場合には、第１無線通信装置から送信された第１識別情報と第２識別情報とを受信することができない。しかし、通常の環境では、間隔を隔てて電波が２回送信された場合には、いずれかの電波は検出される確率が高い。そこで、第１無線通信装置から各第２無線通信装置へ巡回的に情報を送信し、また、各第２無線通信装置では、延長された受信時間を自機宛の第２識別情報を少なくとも２回受信し得る時間とすることで、自機宛に送信された情報を確実に受信することができる。
【図面の簡単な説明】
【図１】  本実施例の一実施例である親子電話装置の外観斜視図である。
【図２】  上記親子電話装置の電気的構成を示したブロック図である。
【図３】  親機での制御チャンネル検出のタイミングチャートである。
【図４】  子機での制御チャンネル検出のタイミングチャートである。
【図５】  親機で実行される制御チャンネル通信処理のフローチャートである。
【図６】  親機の制御チャンネル通信処理のなかで実行されるＡチャンネルスニフ処理のフローチャートである。
【図７】  親機の制御チャンネル通信処理のなかで実行されるＢチャンネルスニフ処理のフローチャートである。
【図８】  子機で実行される子機制御チャンネル通信処理のフローチャートである。
【図９】  子機制御チャンネル通信処理のなかで実行される子機Ａチャンネルスニフ処理のフローチャートである。
【図１０】  親機の制御チャンネル通信処理のなかで実行される子機Ｂチャンネルスニフ処理のフローチャートである。
【符号の説明】
１            親子電話装置（無線通信装置）
１ａ          ファクシミリ装置、親機（相手側装置、第１無線通信装置）
１ｂ〜１ｄ    コードレス電話装置、子機（相手側装置、第２無線通信装置）
【図１】
0003724417.tif 000002
【図２】
0003724417.tif 000003
【図３】
0003724417.tif 000004
【図４】
0003724417.tif 000005
【図５】
0003724417.tif 000006
【図６】
0003724417.tif 000007
【図７】
0003724417.tif 000008
【図８】
0003724417.tif 000009
【図９】
0003724417.tif 000010
【図１０】
0003724417.tif 000011